(57)【特許請求の範囲】
【請求項１】
幾つかのノズルが配置された放出口領域を有する、人間の顔にミストを供給するための装置であって、前記放出口領域は、前記放出口領域における主垂直方向を持つ前記放出口領域の細長い中央部を少なくともカバーする第１の領域と、前記第１の領域を除外する、前記中央部のそれぞれの主側面に隣接する前記放出口領域の部分をカバーする第２の領域と、を有し、前記装置は更に、第１の種類のミストを放出するための少なくとも１つのノズルを持つ第１のノズルセットと、前記第１の種類とは異なる第２の種類のミストを放出するための少なくとも１つのノズルを持つ第２のノズルセットと、を有し、前記第１のノズルセットの各ノズルは、前記放出口領域の前記第１の領域に存在し、前記第２のノズルセットの各ノズルは、前記放出口領域の前記第２の領域に存在し、前記装置は、人間の顔のそれぞれ異なる領域に前記第１の種類のミスト及び前記第２の種類のミストを向けるように構成された装置。
【請求項２】
前記第１の領域はＴ字形である、請求項１に記載の装置。
【請求項３】
前記第２の領域はＵ字形であり、前記第１の領域のＴ字形は前記第２の領域のＵ字形の基部に起立するように配置された、請求項２に記載の装置。
【請求項４】
前記第２のノズルセットは少なくとも２つのノズルを有し、前記第２のノズルセットの少なくとも１つのノズルは前記中央部の一方の側面に配置され、前記第２のノズルセットの少なくとも別の１つのノズルは前記中央部の他方の側面に配置された、請求項１に記載の装置。
【請求項５】
比較的低い温度を持つミストを生成するための第１のミスト生成手段と、比較的高い温度を持つミストを生成するための第２のミスト生成手段と、を有し、前記第１のノズルセットは前記第１のミスト生成手段に接続され、前記第２のノズルセットは前記第２のミスト生成手段に接続された、請求項１に記載の装置。
【請求項６】
前記第１のミスト生成手段は、ミストをつくる工程において利用されるべき流体を収容するためのタンクと、前記装置の通常方向における底側である前記タンクの側面に配置された霧状化器と、を有する、請求項５に記載の装置。
【請求項７】
冷却器を更に有する、請求項６に記載の装置。
【請求項８】
前記第２のミスト生成手段は、ミストをつくる工程において利用されるべき流体を収容するためのタンクと、前記装置の通常方向における底側である前記タンクの側面に配置された霧状化器と、加熱器と、を有する、請求項５に記載の装置。
【発明の詳細な説明】
【技術分野】
【０００１】
本発明は、幾つかのノズルが配置された放出口領域を有する、人間の顔にミストを供給するための装置に関する。以下、明確さのため、上述した装置は顔用噴霧器と示される。
【背景技術】
【０００２】
顔用噴霧器は、肌の洗浄及び／又はリフレッシュのような有用な効果を実現するための、顔の皮膚を処置するために用いられる美容装置である。様々な種類のミストを生成するように適合された顔用噴霧器が知られている。例えば、特開2008-295467号公報は、冷ミスト生成部及び温ミスト生成部と、冷ミスト及び温ミストを放出するための２つのノズルと、を有する温冷噴霧装置を開示している。該２種類のミストは、望ましい場合には同時に放出されることができる。放出工程を制御するためのマイクロプロセッサが備えられ、該制御には例えば２つのノズルの交互の使用が含まれ得る。
【０００３】
２つの種類のミストの放出が制御されるという事実に基づいて、該既知の顔用噴霧器のユーザは、顔の皮膚のいずれかのタイプの処置をも選択できる。しかしながら、該既知の顔用噴霧器は、最も効果的な処置を得ることを支援しない。
【発明の概要】
【発明が解決しようとする課題】
【０００４】
本発明の目的は、顔の皮膚の最も効果的な処置を得るため、人間の顔にミストを供給するための既知の装置を改善することにある。本目的は、最初のパラグラフに言及された種類の装置であって、前記放出口領域は、前記放出口領域における主垂直方向を持つ前記放出口領域の細長い中央部を少なくともカバーする第１の領域と、前記第１の領域を除外する、前記中央部のそれぞれの主側面に隣接する前記放出口領域の部分をカバーする第２の領域と、を有し、前記装置は更に、第１の種類のミストを放出するための少なくとも１つのノズルを持つ第１のノズルセットと、前記第１の種類とは異なる第２の種類のミストを放出するための少なくとも１つのノズルを持つ第２のノズルセットと、を有し、前記第１のノズルセットの各ノズルは、前記放出口領域の前記第１の領域に存在し、前記第２のノズルセットの各ノズルは、前記放出口領域の前記第２の領域に存在し、前記装置は、人間の顔のそれぞれ異なる領域に前記第１の種類のミスト及び前記第２の種類のミストを向けるように構成された装置により達成される。
【０００５】
本発明は、人間の顔の特定の領域を処置するために様々な種類のミストが利用される場合、即ち或る種類のミストが或る顔領域を処置するために用いられ、別の種類のミストが別の顔領域を処置するために用いられる等する場合に、様々な種類のミストを用いた処置の改善された結果が得られるという洞察を提供する。顔の皮膚の異なる領域は、ミストによる処置においては、異なる要件を持つことが分かった。顔用噴霧器のノズルを特定のノズルセットにグループ化し、或るノズルセットの少なくとも１つのノズルが、別のノズルセットの少なくとも１つのノズルとは異なる種類のミストを発するために利用されるようにし、更にこれらノズルセットを適切な領域に配置することにより、処置されるべき皮膚の各領域が最も適切な種類のミストを供給されるという状況が実現される。
【０００６】
ミストの種類間の違いは、温度、密度、強度及び粒子サイズを含む、１つ以上の種々の因子において見出されても良い。各ノズルセットは少なくとも１つのノズルを有し、該少なくとも１つのノズルの設計は自由に選択され得、セット毎に最適化されても良い。ノズルの設計に関連する因子は、適切なノズルセットにおけるノズルの意図される使用に適合されても良く、形状、サイズ及び向けられる方向即ちミストの射出が起こる方向を含む。ノズルの形状の例には、円形、楕円形、正方形及び長方形が含まれる。向けられる方向は、該顔用噴霧器の放出口領域を定義し得る、該顔用噴霧器のノズルを支持するためのパネルに垂直であっても良いが、該向けられる方向が該パネルに対して特定の角度で傾けられることも可能である。
【０００７】
本発明の範囲内で、該顔用噴霧器は、２つ以上の顔領域に向けて異なる種類のミストを向けることにより、該２つ以上の顔領域に異なる処置を行うよう構成されても良い。多くの場合、人間の顔においては、２つの主な領域、即ちいわゆるＴゾーンといわゆるＵゾーンとが区別される。Ｔゾーンは、額、鼻及び通常は顎を有し、一方Ｕゾーンは両頬を有する。本発明による顔用噴霧器は、或る種類のミストを人間の顔のＴゾーンに供給し、別の種類のミストをＵゾーンに供給するのに適しており、放出口領域の第１の領域、即ち放出口領域において主の垂直方向を持つ該放出口領域の少なくとも細長い中央部をカバーする領域がＴ字形であり、これにより、人間の顔のＴゾーンに対応する放出口領域の領域となり、その一方、放出口領域の第２の領域、即ち該放出口領域の前記中央部の各主側に隣接する放出口領域の部分をカバーする領域がＵ字形であり、これにより、人間の顔のＵゾーンに対応する放出口領域の領域となり、ここで、放出口領域の第１の領域のＴ字形の形状は、放出口領域の第２の領域のＵ字形の形状の基部に起立するように向けられる。この場合、ノズルセットは例えば、種々のノズルセットのノズルにより発せられるミストの温度に関する限り、異なり得る。とりわけ、本発明による顔用噴霧器は、比較的低温でミストを生成するための手段と、比較的高温でミストを生成するための手段と、を有しても良く、ここで人間の顔のＴゾーンに対応する放出口領域の領域に配置されたノズルセットは前者の手段に接続され、人間の顔のＵゾーンに対応する放出口領域の領域に配置されたノズルセットは後者の手段に接続される。該顔用噴霧器の当該設計により、Ｔゾーンは比較的冷たいミストにより処置され、Ｕゾーンは比較的温かいミストにより処置されることができる。ユーザがしなければならないことは、該ユーザの顔をノズルパネルに対して適切な位置において、該ノズルパネルの前に置くことのみである。該顔用噴霧器が起動されると、適切な処置が意図される顔の領域において自動的に実行され、改善された皮膚処置結果をもたらす。いずれの場合にも、ミストを発するために１種類のノズルのみが利用される場合よりも結果はかなり好適となり、また、少なくとも２つの種類のノズルが使用されるものの適切に配置されていない場合、即ち処置されるべき皮膚の領域に対応する放出口領域の領域に正確に配置されていない場合に比べても、結果はかなり好適となる。
【０００８】
明確さのため、以下においては、放出口領域における主垂直方向を持つ放出口領域の細長い中央部を示すために「放出口領域の中央部」なる語が用いられる。該中央部の主側面は、該中央部の主垂直方向を持つ側面である。従って、該中央部は２つの主側面を持ち、これらは以上において定義された放出口領域の第２の領域によりカバーされる放出口領域の部分にそれぞれが隣接される側面である。
【０００９】
以上において定義された放出口領域の第１の領域に配置されたノズルセットは、額の中央部の位置に対応する位置に配置された単一のノズルを有しても良い。第１の領域に２つのノズルがある場合には、一方のノズルが顎の位置に対応する位置に配置され、他方のノズルが額の中央部の位置に対応する位置に配置されても良い。完全さのため、多くの実用的な場合において、放出口領域の中央部は、放出口領域の高さの少なくともかなりの部分に亘って、ことによると高さ全体に亘って延在することに留意されたい。更に、当該部分の主垂直方向は、放出口領域における該部分の位置決めに関連し、底部側と上部側とが識別されることができ、当該部分は上述した側面間に、水平方向と垂直に延在し、該顔用噴霧器の通常の動作方向をとることに留意されたい。底部側は人間の顔の顎側に関連し、上部側は人間の顔の額側に関連する。従って、該顔用噴霧器の通常の動作方向においては、放出口領域の底部側は放出口領域の上部側よりも低いレベルにある。完全さのため、放出口領域は垂直に対して傾いた方向を持っても良いことに留意されたい。この事実に鑑み、中央部は一般的な意味における垂直方向を持つものとして定義されるのではなく、放出口領域における垂直方向を持つものとして定義される。
【００１０】
好適には、放出口領域の第２の領域に配置されたノズルセットは少なくとも２つのノズルを有し、少なくとも１つのノズルは中央部の一方の側に配置され、少なくとも他の１つのノズルは中央部の他方の側に配置され、それぞれの頬用のノズルがあるようにされる。
【００１１】
以上において言及したように、種々のノズルセットにより発せられるミストは、１つ以上の態様において異なっても良い。一態様はミストの温度であり、本発明による装置は、比較的低温でミストを生成するための手段と、比較的高温でミストを生成するための手段と、を有しても良く、ノズルセットの少なくとも１つは前者の手段に接続され、ノズルセットの他の少なくとも１つが後者の手段に接続される。とりわけ、放出口領域の第１の領域に存在するノズルセットは前者の手段に接続され、放出口領域の第２の領域に存在するノズルセットは後者の手段に接続されても良い。
【００１２】
ミストの所望の温度を実現するための手段は、いずれの適切な態様で設計されても良い。例えば、比較的低温でミストを生成するための手段は、ミストを生成する工程において利用されるべき流体を含むためのタンクと、該顔用噴霧器の通常方向における底部側であるタンクの側に配置された霧状化器と、ペルチェ冷却器のような冷却器と、を有しても良く、比較的高温でミストを生成するための手段は、ミストを生成する工程において利用されるべき流体を含むためのタンクと、該顔用噴霧器の通常方向における底部側であるタンクの側に配置された霧状化器と、ＰＴＣ（正温度計数）加熱器のような加熱器と、を有しても良い。上述したような霧状化器は、例えばそれ自体が知られている超音波霧状化器を有しても良い。完全さのため、比較的低温でミストを生成するための手段に関しては、比較的冷たいミストは、該ミストが何らかの加熱工程を受けない限りは該顔用噴霧器のユーザにとって許容可能となり得るため、必ずしも冷却器を持つ必要はない点に留意されたい。更に、該霧状化器が、ミスト温度を室温よりも低くし得ることも見出されている。
【００１３】
本発明の上述した態様及びその他の態様は、２つのノズルセットを有する顔用噴霧器であって、一方のノズルセットはユーザの顔のＴゾーンに向けて比較的冷たいミストを発するように構成され、他方のノズルセットはユーザの顔のＵゾーンに向けて比較的温かいミストを発するように構成された顔用噴霧器の、以下の詳細な記載を参照しながら説明され明らかとなるであろう。
【００１４】
本発明は以下、図面を参照しながら詳細に説明されるが、同等の又は類似する部分は同じ参照記号により示される。
【図面の簡単な説明】
【００１５】
【図１】本発明による顔用噴霧器の前面図を模式的に示す。
【図２】該顔用噴霧器の側面図を模式的に示す。
【図３】該顔用噴霧器の断面図を模式的に示す。
【図４】人間の顔におけるＴゾーン及びＵゾーンの位置を示す。
【図５】該顔用噴霧器におけるノズルの配置の３つの選択肢を模式的に示す。
【図６】図１の一部の拡大図を示す。
【発明を実施するための形態】
【００１６】
図１乃至３は、本発明による顔用噴霧器１の種々の図を示す。完全さのため、図面に示され以下に説明される顔用噴霧器１は、本発明の範囲内となる単なる一例であり、顔用噴霧器の他の実施例も可能であることに留意されたい。
【００１７】
一般的に、顔用噴霧器は１つ以上のノズルをとおしてミストを発するように構成される。顔用噴霧器のユーザは、該顔用噴霧器の放出口領域の前方に該ユーザの顔を置き、ミストがユーザの顔の皮膚に届くようにし、洗浄処置及び／又はスムージング処置のような所望される肌の処置を実行することが想定される。実際的な場合においては、該放出口領域はノズルパネルを有し、該ノズルパネルはミストを放出するための少なくとも１つのノズルを支持するよう機能する。
【００１８】
本発明によれば、顔用噴霧器は少なくとも２種類のミストを放出するように構成され、異なる種類のミストを放出するためのノズルが異なる領域に配置される。該顔用噴霧器におけるこれら領域のそれぞれは、人間の顔の領域に対応し、特定の領域を処置するためのノズルセットが該顔用噴霧器における対応する領域に配置される。
【００１９】
図示される例において、顔用噴霧器１は、ノズルパネル６に配置され２つの異なるセットにグループ化されたノズル２、３、４、５を通して、比較的冷たいミスト及び比較的温かいミストを発するように構成される。とりわけ、一方のノズルのセット２、３は、ノズルパネル６の細長い垂直方向の中央部８をカバーする領域７に配置され、人間の顔におけるいわゆるＴゾーン９に対応し、他方のノズルのセット４、５は、ノズルパネル６の中央部８のそれぞれの主側面に存在するノズルパネル６の部分１１、１２をカバーする領域１０に配置され、人間の顔におけるいわゆるＵゾーン１３に対応する。上述した人間の顔におけるゾーン９、１３の位置は、図４に示される。図１において、ノズルパネル６の中央部８、及び前記中央部８のそれぞれの主側面に存在するノズルパネル６の部分１１、１２の配置は、破線により示されている。明確さのため、ノズルパネル６の種々の部分８、１１、１２及びゾーン７、１０が明確に識別可能となるように、図６は拡大図により図１の一部を示している。
【００２０】
Ｔゾーン９に到達するように意図されたミストを供給するためのノズル２、３は、比較的冷たいミストを供給するためのラインの端に配置され、Ｕゾーン１３に到達するように意図されたミストを供給するためのノズル４、５は、比較的温かいミストを供給するためのラインの端に配置される。様々な種類のミストが、水を基につくられる。顔用噴霧器１は、図示された例のように、水を収容し上述した２本のラインに水を供給するための単一の容器１４を有しても良いが、このことは、例えばより多くの容器を利用することも可能である、又は顔用噴霧器１への水の連続的な供給のための蛇口等に対する接続を持つことも可能であるという事実を変更するものではない。以下、明確さのため、上述した容器１４は、水供給容器１４と呼ぶ。
【００２１】
比較的冷たいミストを供給するためのラインは、いずれの適切な態様で設計されても良い。図１乃至３は、上述したラインが水供給容器１４に接続された冷水タンク１５を有し、超音波霧状化器１６が冷水タンク１５の底部に配置され、ペルチェ冷却器が冷水タンク１５の側面に配置された実施例を示す。複数のフィンを備えた金属のヒートシンク１７が該ペルチェ冷却器に接触し、より効果的な水の冷却のために利用される。更に、該比較的冷たいミストを供給するためのラインは、霧状化ファン１８と、ノズルパネル６のＴゾーン７のノズル２、３にミストを供給するための管１９、２０とを有する。
【００２２】
比較的温かいミストを供給するためのラインは、いずれの適切な態様で設計されても良い。図１乃至３は、上述したラインが水供給容器１４に接続された温水タンク２１を有し、超音波霧状化器２２が温水タンク２１の底部に配置され、ＰＣＴ加熱器のような加熱器が温水タンク２１の側面に配置された実施例を示す。複数のフィンを備えた金属のヒートシンク２３が該ＰＣＴ加熱器に接触し、より効果的な水の加熱のために利用される。更に、該比較的温かいミストを供給するためのラインは、霧状化ファン２４と、ノズルパネル６のＵゾーン１０のノズル４、５にミストを供給するための管２５、２６とを有する。
【００２３】
好適には、ユーザの希望が満足されるような態様で顔用噴霧器１の動作を制御する目的のため、顔用噴霧器１は適切なコントローラ及びユーザインタフェースを備える。顔用噴霧器１の動作を制御するため、閉制御ループが形成される。所望の水温が到達されたときにのみ霧状化が開始されることを確実にするため、冷水タンク１５及び温水タンク２１の両方に温度センサが装着される。数あるなかでも、該コントローラは、顔用噴霧器１の以下の構成要素に接続される。
−冷水タンク１５の温度センサ
−冷水タンク１５の霧状化器ドライバ
−比較的冷たいミストを供給するためのラインの霧状化ファン１８
−ペルチェ冷却器を冷却するためのファン
−ペルチェ冷却器に電力を供給するための手段
−温水タンク２１の温度センサ
−温水タンク２１の霧状化器ドライバ
−比較的温かいミストを供給するためのラインの霧状化ファン２４
−ＰＴＣ加熱器に電力を供給するための手段
【００２４】
本発明による顔用噴霧器１は、人間の顔の自然な水分と油分との平衡を回復させることが可能である。異なるノズル２、３、４、５を通して、人間の顔のＴゾーン９に向けられるミストが、人間の顔のＵゾーン１３に向けられるミストから分離される。同時に、ミストはこれらゾーン９、１３向けに調整される。例えば、ミストの温度、密度及び強度が、Ｔゾーン９とＵゾーン１３とで異なっても良い。
【００２５】
顔用噴霧器１は、人間の顔にミストを供給する多くの可能性を提供する。第１に、比較的温かいミストのみを生成し、当該ミストをノズルパネル６のＵゾーン１０のノズル４、５を通してユーザの顔に供給することが可能である。第２に、比較的冷たいミストのみを生成し、当該ミストをノズルパネル６のＴゾーン７のノズル２、３を通してユーザの顔に供給することが可能である。比較的冷たいミストはペルチェ冷却器を用いることにより得られても良いが、ユーザがミストの温度を可能な限り低くすることを要求しない場合には、このことは必須ではない。第３に、比較的温かいミスト及び比較的冷たいミストの両方を生成し、比較的温かいミストをノズルパネル６のＵゾーン１０のノズル４、５を通してユーザの顔に供給し、同時に比較的冷たいミストノズルパネル６のＴゾーン７のノズル２、３を通してユーザの顔に供給することが可能である。
【００２６】
更に、加熱器が起動されていない限り、又は依然として温水タンク２１中の水を加熱する工程にある限り、比較的冷たいミストがノズルパネル６のＵゾーン１０のノズル４、５を通してユーザの顔に供給されても良い。この場合には、全てのノズル２、３、４、５を用い、ユーザの顔全体を冷却することが可能である。また、ノズルパネル６のＵゾーン１０のノズル４、５を通して発せられる比較的高密度の比較的温かいミストを実現することにより、ユーザの顔全体が加熱されることもできる。
【００２７】
本発明による顔用噴霧器１が多機能であるという事実は、顔の肌の処置の所望の効果を達成するために非常に有利である。顔用噴霧器１の特別な特徴は、異なる種類のミストが異なる顔のゾーン９、１３に向けられるという事実である。このようにして、異なる顔のゾーン９、１３に関する異なる要件が個別に満たされることができるため、処置工程が最適な態様で行われることができる。
【００２８】
ノズルパネル６は、少なくとも２つの領域７、１０を備えたいずれの適切な態様で設計されても良く、領域７、１０毎のノズル２、３、４、５の数及び位置は、ノズル２、３、４、５により発せられるべきミストにより実行されるべき肌の処置の最適な結果をもたらすように選択されることができる。図示された例においては、一方のノズルセットがノズルパネル６のＴゾーン７に配置され、他方のセットがノズルパネル６のＵゾーン１０に配置されている。とりわけ、図１乃至３に示された顔用噴霧器１においては、２つのノズル２、３がＴゾーン７に配置され、２つのノズル４、５がＵゾーン１０に配置されている。図５は、上述した領域７、１０におけるノズルの数及び配置の幾つかの代替例を示す。第１に、比較的冷たいミストを供給するためのラインの端部に１つのみのノズル２を持ち、該ノズル２がＴゾーン７のＴ字形の上側に配置されることが可能である。第２に、比較的冷たいミストを供給するためのラインの端部に２つよりも多いノズル２、３を持ち、これらノズルがＴゾーン７のＴ字形に亘っておおよそ均等に分散されるように配置されることが可能である。第３に、比較的温かいミストを供給するためのラインの端部に２つよりも多いノズル４、５を持ち、これらノズルがＵゾーン１０のＵ字形の両方の脚部の端部に配置されることが可能である。
【００２９】
いずれの場合においても、ノズル２、３、４、５の構成は、顔用噴霧器１の動作の間に、異なる顔のゾーン９、１３のおおむね分離された処置が実現されるように選択されることができ、このことが本発明の意図される効果である。
【００３０】
本発明の範囲は以上に議論された実施例に限定されるものではなく、添付される請求項に定義された本発明の範囲から逸脱することなく幾つかの修正及び変形が可能であることは、当業者に明らかであろう。本発明は図面及び以上の記述において詳細に記載され説明されたが、斯かる記載及び説明は単に説明するもの又は例示的なものであって、限定するものではないとみなされるべきである。本発明は、開示された実施例に限定されるものではない。
【００３１】
図面、説明及び添付される請求項を読むことにより、請求される本発明を実施化する当業者によって、開示された実施例に対する変形が理解され実行され得る。請求項において、「有する（comprising）」なる語は他のステップ又は要素を除外するものではなく、「１つの（a又はan）」なる不定冠詞は複数を除外するものではない。特定の手段が相互に異なる従属請求項に列挙されているという単なる事実は、これら手段の組み合わせが有利に利用されることができないことを示すものではない。請求項におけるいずれの参照記号も、本発明の範囲を限定するものとして解釈されるべきではない。
【００３２】
完全さのため、本発明による顔用噴霧器１により顔の肌を処置するための工程において利用されるミストをつくる目的のために、水以外の適切な流体が利用されても良いことに留意されたい。
【００３３】
本発明は、以下のように要約され得る。人間の顔にミストを供給するための装置１は、異なる種類のミストを生成するように構成され、人間の顔の異なるゾーン９、１３に異なる種類のミストを向けることが可能である。この目的のため、装置１は異なるノズルセットを有し、これらノズルセットのそれぞれは、異なる種類のミストを放出するように機能し、これらノズルセットのそれぞれは、装置１の動作の間に関連するノズルセットにより放出されたミストにより処置されるべき人間の顔のゾーン９、１３に対応する装置１の領域７、１０に配置される。ノズルセットのノズル２、３、４、５の数は少なくとも１つであり、上述したような種々のノズルセットにグループ化された、ノズル２、３、４、５の適切な数及び配置により、顔のゾーン９、１３が別個に処置されることができ、顔のゾーン９、１３毎の最適な肌の処置を実現することが可能となる。実用的な実施例においては、一方のセットは、人間の顔のＴゾーン９にミストを供給するために装置１に存在し、他方のセットは、人間の顔のＵゾーン１３にミストを供給するために装置１に存在する。
【図１】
0005919262.tif 000002
【図２】
0005919262.tif 000003
【図３】
0005919262.tif 000004
【図４】
0005919262.tif 000005
【図５】
0005919262.tif 000006
【図６】
0005919262.tif 000007